(57)【要約】【課題】地図情報が表示される情報端末装置において、画面上に表示される距離や方位と現在地での実際の距離や方位とを一致させる。【解決手段】情報端末装置の移動により変化する現在地の位置情報を検出し（ステップＳ２０４）、検出した現在地の位置情報に基づいて方位情報を更新し（ステップＳ２０５）、更新した方位情報を情報端末装置の表示手段に再表示する（ステップＳ２０６）。【選択図】  図７
2004309678.tif 000002
【特許請求の範囲】
【請求項１】
現在地及び目的地を示す位置情報を取得する位置情報取得手段と、
前記位置情報に基づいて前記現在地及び前記目的地を含む地図情報を取得する地図情報取得手段と、
前記位置情報に基づいて前記現在地から前記目的地までの距離及び方位からなる方位情報を生成する方位情報生成手段と、
前記地図情報の一部又は全部及び前記方位情報を表示する表示手段と、
前記現在地の変化を検出して前記位置情報の現在地を更新する更新手段と、
を備える情報端末装置。
【請求項２】
前記更新手段は、前記現在地の変化を外部からの基準電波に基づいて検出する請求項１記載の情報端末装置。
【請求項３】
前記基準電波はＧＰＳからの基準電波である請求項２記載の情報端末装置。
【請求項４】
前記更新手段は、前記現在地の変化を使用者の端末操作により検出する請求項１記載の情報端末装置。
【請求項５】
前記端末操作は、前記表示手段に表示された地図情報のスクロール操作である請求項４記載の情報端末装置。
【請求項６】
前記更新手段は、前記現在地の変化を前記スクロール操作に連動し前記地図情報に対して相対的に移動する前記現在地の移動前後の差分情報に基づいて検出する請求項５記載の情報端末装置。
【請求項７】
前記方位情報生成手段は、前記方位情報に基づき、距離に応じて方位を表す線分の表示形態を可変したｎ方位形態を表示する請求項１記載の情報端末装置。
【請求項８】
請求項１から７のいずれか一項記載の情報端末装置における地図情報表示方法であって、
前記情報端末装置の移動により変化する現在地の位置情報を検出し、
検出した現在地の位置情報に基づいて前記方位情報を更新し、
更新した方位情報を前記情報端末装置の表示手段に再表示する情報端末装置における地図情報表示方法。
【請求項９】
請求項１から７のいずれか一項記載の情報端末装置と、前記情報端末装置からの要求に応じて前記情報端末装置に地図情報を提供する地図情報提供装置とを備えるシステムであって、前記地図情報提供装置は、
前記情報端末装置から提供される前記現在地及び前記目的地に基づいて前記現在地及び前記目的地を含む地図情報と前記目的地の位置情報とを前記情報端末装置に送信する地図情報通信手段を備えるシステム。
【請求項１０】
現在地及び目的地を示す位置情報に基づいて前記現在地及び前記目的地を含む地図情報を取得する地図情報取得手段、
前記位置情報に基づいて前記現在地から前記目的地までの距離及び方位からなる方位情報を生成する方位情報生成手段、
前記地図情報の一部又は全部及び前記方位情報を表示させる表示手段、前記現在地の変化を検出して前記位置情報の現在地を更新する更新手段としてコンピュータを機能させるプログラム。
【発明の詳細な説明】
【０００１】
【発明の属する技術分野】
本発明は、地図情報を表示する情報端末装置及び情報端末装置における地図情報表示方法に関する。
【０００２】
【従来の技術】
インターネットなどの通信網を介して提供される情報サービスの一つに地図情報提供サービスがある。これは、携帯無線端末または据置型のパーソナルコンピュータなどから、地図データベースを備えたＷｅｂサーバにアクセスし、所望の地図データを取得して表示するサービスである。例えば、端末の使用者が住所やランドマークとなる駅名、各種施設名などを入力すると、当該位置及びその周辺の地図の画像が端末に表示される。従って、端末の使用者は表示された地図を参照して、目的の駅や施設がどこにあるのかを容易に認識できる。
【０００３】
このような地図情報提供サービスをＰＤＡ（Ｐｅｒｓｏｎａｌ  Ｄｉｇｉｔａｌ  Ａｓｓｉｓｔａｎｔｓ）や携帯電話などの携帯無線端末で利用する場合、地図を表示する表示部が比較的小さく、解像度も低いため、広範囲の地図を一度に表示することができない。そのため、特に、現在地と目的地が同一画面（地図）内にされない場合、現在地に対して目的地がどこにあるかが判りにくく、地図を上下左右にスクロールして目的地を探す操作が必要となる。地図データは、地図ページをスクロールする度にＷｅｂサーバからダウンロードされるため、頻繁なスクロールは単に使い勝手が悪いだけではなく、通信料金の浪費にもつながる。
【０００４】
これを解決する技術として、現在地から目的地がどの方角にあるかを示す矢印を地図に重ねて表示するという地図情報提供システムが提案されている（例えば特許文献１参照）。このシステムでは、現在地から目的地までの距離や方位を示す矢印が地図上に表示される。このシステムによれば、地図上に目的地が表示されていなくても、矢印を参照することで目的地までの距離や方位が判るため、目的地を把握し易く、不用意な地図のスクロールも防止できる。
【０００５】
【特許文献１】
特開２００１−３３１４９２号公報（第５〜６頁、図２〜図５）
【０００６】
【発明が解決しようとする課題】
上記のように従来の地図情報提供システムでは、現在地から目的地までの距離や方位を示す矢印は、一旦画面上に表示されると次の設定入力（駅名、各種施設名）があるまで同一形態で固定的に表示される。このため、端末の使用者の移動により現在地が変化すると、画面上に表示されている矢印が示す距離や方位と、実際の距離や方位との間でずれが生じるという問題が生じる。本発明が解決しようとする課題には、上記した問題が一例として挙げられる。
【０００７】
【課題を解決するための手段】
請求項１に記載の発明は、現在地及び目的地を示す位置情報を取得する位置情報取得手段と、前記位置情報に基づいて前記現在地及び前記目的地を含む地図情報を取得する地図情報取得手段と、前記位置情報に基づいて前記現在地から前記目的地までの距離及び方位からなる方位情報を生成する方位情報生成手段と、前記地図情報の一部又は全部及び前記方位情報を表示する表示手段と、前記現在地の変化を検出して前記位置情報の現在地を更新する更新手段とを備える情報端末装置である。
【０００８】
また、請求項８記載の発明は、請求項１から７のいずれか一項記載の情報端末装置における地図情報表示方法であって、前記情報端末装置の移動により変化する現在地の位置情報を検出し、検出した現在地の位置情報に基づいて前記方位情報を更新し、更新した方位情報を前記情報端末装置の表示手段に再表示する情報端末装置における地図情報表示方法である。
【０００９】
また、請求項９記載の発明は、請求項１から７のいずれか一項記載の情報端末装置と、前記情報端末装置からの要求に応じて前記情報端末装置に地図情報を提供する地図情報提供装置とを備えるシステムであって、前記地図情報提供装置は、前記情報端末装置から提供される前記現在地及び前記目的地に基づいて前記現在地及び前記目的地を含む地図情報と前記目的地の位置情報とを前記情報端末装置に送信する地図情報通信手段を備えるシステム。
【００１０】
また、請求項１０記載の発明は、現在地及び目的地を示す位置情報に基づいて前記現在地及び前記目的地を含む地図情報を取得する地図情報取得手段、前記位置情報に基づいて前記現在地から前記目的地までの距離及び方位からなる方位情報を生成する方位情報生成手段、前記地図情報の一部又は全部及び前記方位情報を表示させる表示手段、前記現在地の変化を検出して前記位置情報の現在地を更新する更新手段としてコンピュータを機能させるプログラムである。
【００１１】
【発明の実施の形態】
以下、本発明に実施の形態について図面を参照して説明する。
図１は本発明の一実施の形態の地図情報提供システムの構成を示すブロック図である。地図情報提供システムは、Ｗｅｂサーバ１と、ブラウザ機能付き携帯電話などの情報端末装置２を備える。
【００１２】
情報端末装置２は、図示しない公衆電話回線網およびアクセスサービスなどを介してインターネット網３に接続されている。また、インターネット網３には、地図情報提供サイト、地図データベースサイト及びルート設定サイトとしてのＷｅｂサーバ１が接続されている。
【００１３】
地図情報提供サイトは、ＷＷＷ（Ｗｏｒｌｄ  Ｗｉｄｅ  Ｗｅｂ）による地図情報の提供サービスを行うサイトであり、地図データベースサイト及びルート設定サイトから情報端末装置２への情報提供を統括する。地図情報提供サイトは、住所やランドマークとなる駅名や各種施設名などとそれらに対応する緯度及び経度（位置情報）を関連付けて格納するデータベースを備えており、情報端末装置２から送信された駅名などからその駅の緯度及び経度を検索する。
【００１４】
また、地図データベースサイトは、インターネット上で地図情報の検索サービスを行うサイトであり、地図データを読み出して情報端末装置２に送信する地図サーバと、縮尺やサイズなど地図に関する表示情報及びこれらの表示情報に対応するメッシュ分割された地図の画像などの地図データを格納するデータベースとを備える。
【００１５】
さらに、ルート設定サイトは、インターネット上でルート設定サービスを行うサイトであり、ルートデータを読み出して情報端末装置２に送信するルートサーバと、上記地図データに対応したルート情報などを格納するデータベースとを備える。
【００１６】
図２はＷｅｂサーバ１の内部構成を示すブロック図である。Ｗｅｂサーバ１は、制御システム１１、通信制御部１２、制御プログラムデータベース１３、地図データベース１４、ルートデータベース１５などを備える。
【００１７】
制御システム１１は、制御プログラムに基づいてＷｅｂサーバ１全体の制御を司るハードウェアであり、制御プログラムは制御プログラムデータベース１３に格納されている。通信制御部１２は、インターネット網３とのインタフェースを司るハードウェアであり、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）をサポートする。また、制御プログラムデータベース１３は制御プログラムを、地図データベース１４は地図データや位置情報を、ルートデータベース１５はルートデータなどを格納する。
【００１８】
制御システム１１は、情報端末装置２から受信する現在地及び目的地の情報に基づいて、現在地から目的地までの範囲の地図データを最短ルートを考慮して地図データベース１４から抽出し、通信制御部１２を介して情報端末装置２へ送信する。
【００１９】
図３は情報端末装置２の内部構成を示すブロック図である。情報端末装置２は、制御部２１、通信部２２、表示部２３、入力部２４、ＧＰＳ測位部２５、ローカル地図データ保持部２６などを備える。
【００２０】
制御部２１は、制御プログラムの実行により、ＧＰＳ測位部２５から出力される位置情報に基づいて、ローカル地図データ保持部２６に保持されている地図データの中から現在地を含む地図データを検索し、表示部２３に出力する。また、制御部２１は、ＧＰＳ測位部２５から所定間隔で出力される位置情報と予め設定された目的地の位置情報に基づいて、現在地から目的地へ向かう方位及び距離を演算し、方位及び距離を示す矢印記号を生成する。生成した矢印記号は表示部２３に出力される。さらに、その他の情報端末装置全体の動作制御も行う。通信部２２は、インターネット網３とのインタフェースを司るハードウェアで、Ｗｅｂサーバ１から地図データや位置情報を受信し、目的地名などの入力データをＷｅｂサーバ１へ送信する。
【００２１】
表示部２３は、制御部２１から出力される地図データ及び矢印記号を表示する。入力部２４は、ポインティングデバイスなどで構成され、地図情報提供サイトへのアクセスの起動や、表示部２３に表示される地図のスクロール、目的地名などの入力などを行う。ＧＰＳ測位部２５は、人工衛星の発信した電波を受信して、情報端末装置２の現在地を測定する。測定結果は、緯度及び経度で表す位置情報として制御部２１へ出力される。ローカル地図データ保持部２６は、Ｗｅｂサーバ１から受信した地図データを保持する。
【００２２】
図４はＷｅｂサーバ１から地図データと位置情報を取得する際の動作手順を示すフローチャートである。はじめに、情報端末装置２から地図サイトへアクセスを行う（ステップＳ１０１）。Ｗｅｂサーバ１は、情報端末装置２からのアクセスを検知し（ステップＳ１０２）、目的地名の入力を行うための入力用フォームなどの画面情報を情報端末装置２へ送信する（ステップＳ１０３）。情報端末装置２は、画面情報を受信して表示部２３に表示する（ステップＳ１０４）。
【００２３】
次に、情報端末装置２の使用者は、入力部２４から、目的地として例えば駅名などを入力する（ステップＳ１０５）。目的地の入力完了後、当該情報は情報端末装置２から送信される（ステップＳ１０６）。この時、ＧＰＳ測位部２５で測定した現在地の位置情報も送信される。なお、目的地は駅名などを直接入力してもよいし、周辺検索などを行って対象となる施設名などを抽出してもかまわない。
【００２４】
図５は目的地情報の入力時における画面表示例を示す模式図である。地図の表示エリアには後述する地図（図６参照）が表示される。
【００２５】
Ｗｅｂサーバ１は、通信制御部１２を介して目的地情報及び現在地の位置情報を受信する（ステップＳ１０７）。Ｗｅｂサーバ１の制御システム１１は、住所やランドマークとなる各種施設名などとそれらに対応する緯度及び経度の情報（位置情報）を格納した地図データベース１４から、受信した目的地に該当する位置情報を検索する（ステップＳ１０８）。制御システム１１は、検索で取得した目的地の位置情報と受信した現在地の位置情報とに基づいて、現在地と目的地とを結ぶ最短ルートを、ルートデータベース１５を用いて公知の方法で決定する。そして、情報端末装置２の表示に適した画像サイズの地図データのうち、決定した最短ルートを考慮して現在地と目的地を含む地図データの表示に必要な画像データだけを地図データベース１４から抽出する（ステップＳ１０９）。
【００２６】
Ｗｅｂサーバ１から情報端末装置２へは、最短ルートを考慮して現在地と目的地を含む画像データを送信するのみで、以降、目的地の変更などを除いて目的地に到達するまではデータ送信を行わないため、送信の負荷が低減され、ダウンロードに要する総時間を短縮することができる。
【００２７】
図６は地図データベースから抽出した地図データの範囲を示す模式図である。最短ルートを考慮して図中○印で示す現在地及び目的地までとそれらの周辺の地図が含まれる。
【００２８】
検索した位置情報と抽出した地図データは、Ｗｅｂサーバ１から送信される（ステップＳ１１０）。端末装置２で位置情報と地図データを受信すると（ステップＳ１１１）、一連の方位情報取得手順が終了する。必要な地図データはすべて取得されたので、これ以降、目的地までの通常の移動（ナビゲーション）において、情報端末装置２がＷｅｂサーバ１へアクセスするという動作は発生しない。
【００２９】
図７は、地図データ取得後、情報端末装置の使用者が目的地へ移動する際の情報端末装置２の動作手順を示すフローチャートである。はじめに、Ｗｅｂサーバ１から取得した地図データのうち、現在地を含む地図が情報端末装置２の表示部２３に表示される（ステップＳ２０１）。次に、Ｗｅｂサーバ１から取得した「目黒駅」の位置情報と、ＧＰＳ測位部２５で測定した現在地の位置情報に基づいて、２地点間の距離及び方位（方位情報）を算出し、方位情報を示す矢印を生成する（ステップＳ２０２）。具体的には、制御部２１は、現在地及び目的地の緯度と経度の数値を格納したデータテーブルを保持し、そのテーブルを参照して現在地から「目黒駅」へ向かうベクトルの長さと傾きから距離及び方位を算出する。
【００３０】
図８は情報端末装置の制御部２１が保持するデータテーブルを概念的に示した表であり、図示例では「目黒駅」及び現在地の緯度及び経度がそれぞれ対応付けられている。
【００３１】
次に、距離及び方位の算出結果から生成した所定の長さと向きを持つ矢印の画像を、表示エリアに重ねて表示する（ステップＳ２０３）。
【００３２】
図９は地図と方位情報を示す矢印の画面表示例を示す模式図である。地図の表示エリアには、十字記号で示す現在地を中心とする地図が表示されている。また、地図の表示エリアの右下部に、目的地である「目黒駅」の方向を示す矢印が表示されている。
【００３３】
図９に示す画面表示を見ながら、情報端末装置２の使用者が移動を開始すると、情報端末装置２の現在地が変化するので、自位置の移動を検出し（ステップＳ２０４）、方位情報の更新処理を行う（ステップＳ２０５）。具体的には、移動によりＧＰＳ測位部２５から所定の間隔で出力される位置情報が変化すると、先の図８に示すデータテーブルの現在地の緯度及び経度の数値が更新される。制御部２１は、更新された数値に基づいて、再度、現在地から「目黒駅」へ向かうベクトルの長さと傾きから距離及び方位を算出し、算出結果から所定の長さと向きを持つ矢印の画像を生成する。さらに、制御部２１は、更新された現在地の位置情報に基づいて、移動後の現在地を中心とする地図データをローカル地図データ保持部２６から検索、抽出し、方位情報更新処理を終了する。更新された地図と矢印の画像は表示部２３に表示される（ステップＳ２０６）。
【００３４】
なお、ステップＳ２０６では、移動前後において現在地を中心とする表示形態であるため地図データの更新を必要とする、地図データの表示を固定し、移動後の矢印を中心から移動させる表示形態にすることで、地図データの更新が不要となるため、更新処理時の負荷を低減させることができる。
【００３５】
図１０は地図と方位情報を示す矢印が移動により更新された時の画面表示例を示す模式図である。地図が変わり、移動後の現在地が十字記号で地図の中心に示されている。また、移動により、目的地である「目黒駅」の方向を示す矢印の向きが変化している。
【００３６】
制御部２１は、図８に示すデータテーブルの現在地の数値が更新されているかどうかを所定の周期で監視し（ステップＳ２０７）、移動が継続中である場合はステップＳ２０４からステップＳ２０６までの手順を繰り返し、方位情報の更新を行う。一方、移動が終了した場合は一連の処理を終了する。
【００３７】
なお、上記において、矢印の画像は計算結果に従って都度生成してもよいが、例えば、８方位形態の矢印の画像を予め複数保持しておき、算出結果に最も近い画像を選択して表示するようにしてもかまわない。
【００３８】
図１１は目的地までの距離による矢印の表示バリエーションを示す模式図であり、（ａ）は目的地までの距離に応じて矢印の長さを変化させた表示形態、（ｂ）は長さは同じであるが、目的地が遠い場合は薄い色で、近くなるほど色を濃くして、目的地までの距離に応じて矢印の色の濃淡を変化させた表示形態、（ｃ）で目的地までの距離に応じて矢印の太さを変化させた表示形態である。さらに、矢印を点滅表示させるようにしておき、例えば、目的地が遠い場合は点滅周期を長くして、近くなるほど点滅周期を短くするというように、目的地までの距離に応じて矢印の点滅周期を変化させてもよい。距離に応じて矢印の表示が変化するので、目的地までの距離を視覚的に把握しやすい。このように、所定種類の矢印を予め保持しておけば、画像生成の負荷がなくなり、矢印の表示処理が速やかに行われる。
【００３９】
以上のように、一旦Ｗｅｂサーバ１にアクセスし、現在地から目的地までの地図データをダウンロードした後は、情報端末装置で地図と矢印の表示の更新を随時行うため、移動中でもリアルタイムで目的地までの距離と方位が把握できる。また、移動中、Ｗｅｂサーバ１へのアクセスを行わないため、表示が速やかで、地図ページのスクロールなどにより通信料金が発生することもない。
【００４０】
以上説明した実施の形態は情報端末に搭載された自位置検出手段としてＧＰＳを用いた場合について説明したが、携帯電話システムの基地局から発せられる電波を基準電波として自位置を検出するようにしてもよい。なお、自位置検出手段を搭載しない場合は、情報端末装置の使用者の操作で現在地の変化を検出する必要がある。
【００４１】
図１２は情報端末装置の他の実施の形態の内部構成を示すブロック図であり、制御部２１、通信部２２、表示部２３、入力部２４、ローカル地図データ保持部２６などを備える。
【００４２】
図１３は上記情報端末装置がＷｅｂサーバ１から地図データと位置情報を取得する際の動作手順を示すフローチャートである。情報端末装置は自位置を把握できないため、現在地の緯度及び経度（位置情報）を最初にＷｅｂサーバで検索し、取得する必要がある。図１３において、ステップＳ３０１からステップＳ３０４の手順は、図４に示したフローチャートのステップＳ１０１からステップＳ１０４までと同じステップであるので説明を省略する。
【００４３】
ステップＳ３０５で、情報端末装置の使用者は、入力部２４から、出発地（現在地）と目的地として例えば駅名などを入力する。出発地と目的地の入力完了後、当該情報を送信する（ステップＳ３０６）。
【００４４】
Ｗｅｂサーバ１は、通信制御部１２を介して出発地と目的地の情報を受信する（ステップＳ３０７）。Ｗｅｂサーバ１の制御システム１１は、住所やランドマークとなる各種施設名などとそれらに対応する緯度及び経度（位置情報）を格納した地図データベース１４から、受信した出発地及び目的地に該当する位置情報を検索する（ステップＳ３０８）。また、制御システム１１は、検索で取得した出発地及び目的地の位置情報に基づいて、出発地と目的地とを結ぶ最短ルートを決定し、情報端末装置２の表示に適した画像サイズの地図データから、決定した最短ルートを考慮して現在地と目的地を含む地図データの表示に必要な画像データを抽出する（ステップＳ３０９）。検索した位置情報と抽出した地図データは、Ｗｅｂサーバ１から送信される（ステップＳ３１０）。
【００４５】
これにより、自位置検知手段を搭載しない情報端末装置でも適切な範囲の地図データと出発地及び目的地の位置情報を取得することができる。
【００４６】
図１４は地図データ取得後、情報端末装置の使用者が目的地へ移動する際の情報端末装置の動作手順を示すフローチャートである。なお、ステップＳ４０１からステップＳ４０４までの手順は、図５に示すフローチャートのステップＳ２０１からステップＳ２０４までの手順と同じであるので説明を省略する。
【００４７】
使用者が移動を開始すると（ステップＳ４０４）、現在地が変化するが、情報端末装置は自位置検知手段を搭載しないので、使用者の操作で移動による現在地の変化を検出する必要がある。情報端末装置の使用者は、自らの移動位置を確認しながら、地図上の現在地を示す十字記号を、入力部２４のスクロールキーやナビゲーションキーなどを用いて動かす（ステップＳ４０５）。
【００４８】
制御部２１は、十字記号の動きに基づいて、方位情報の更新処理を行う（ステップＳ４０６）。具体的には、制御部２１は、ダウンロードした地図にＸＹ座標系を設定し、出発地と目的地に関する座標値を予め保持しておく。
【００４９】
図１５は情報端末装置の制御部２１が保持しているデータテーブルを概念的に示す図である。例えば、先の図６の地図を１６×１６のメッシュに分割してＸＹ座標を設定する場合、目的地の「目黒駅」の座標は（１２，１３）、現在地の座標は（３，４）となる。制御部２１は、スクロールキーやナビゲーションキーの動きを監視することにより、十字記号（現在地）の座標を特定することができるので、図１５に示すテーブルの現在地の座標値を更新できる。制御部２１は、更新された数値に基づいて、再度、現在地から「目黒駅」へ向かうベクトルの長さと傾きから距離及び方位を算出し、算出結果から所定の長さと向きを持つ矢印の画像を生成する。さらに、制御部２１は、更新された現在地の位置情報に基づいて、移動後の現在地を中心とする地図データをローカル地図データ保持部２６から検索、抽出して方位情報更新処理を終了する。更新された地図と矢印の画像は表示部２３に表示される（ステップＳ４０７）。ステップＳ４０４からステップＳ４０７までの手順は、移動が終了するまで行う（ステップＳ４０８）。
【００５０】
このように、自位置検知手段を搭載しない情報端末装置でも、地図上の現在地を示す十字記号を移動に応じて使用者の操作で動かすことにより、現在地から目的地までの距離及び方位に関する情報をリアルタイムで取得することができる。
【００５１】
なお、本実施の形態における情報端末装置としては、携帯電話の他にも、ＰＤＡやノートパソコンなどがあり、同様に適用することができる。また、インターネット網を利用した通信ネットワークの他にＣＤ−ＲＯＭ、ＤＶＤなどの記録媒体を用い、Ｗｅｂサーバが提供する情報を記録媒体へのアクセス制御で取得するものであってもよい。また、本発明のシステムは、情報端末装置と地図情報提供装置とで構成されるが、情報端末装置が記録媒体へのアクセス制御で地図情報提供装置から情報を取得する場合、情報端末装置が地図情報提供装置を搭載する一体型の構成であってもよい。
【００５２】
以上説明したように、本実施の形態の情報端末装置は、現在地及び目的地を示す位置情報を取得する測位部２５、入力部２４と、前記位置情報に基づいて前記現在地及び前記目的地を含む地図情報を取得する制御部２１と、前記位置情報に基づいて前記現在地から前記目的地までの距離及び方位からなる方位情報を生成する制御部２１と、前記地図情報の一部又は全部及び前記方位情報を表示する表示部２３と、前記現在地の変化を検出して前記位置情報の現在地を更新する制御部２５とを備える。
【００５３】
また、本実施の形態の情報端末装置における地図情報表示方法は、情報端末装置の移動により変化する現在地の位置情報を検出し（ステップＳ２０４）、検出した現在地の位置情報に基づいて前記方位情報を更新し（ステップＳ２０５）、更新した方位情報を前記情報端末装置の表示手段に再表示する（ステップＳ２０６）情報端末装置における地図情報表示方法である。
【００５４】
また、本実施の形態のプログラムは、現在地及び目的地を示す位置情報に基づいて前記現在地及び前記目的地を含む地図情報を取得する地図情報取得手段、前記位置情報に基づいて前記現在地から前記目的地までの距離及び方位からなる方位情報を生成する方位情報生成手段、前記地図情報の一部又は全部及び前記方位情報を表示させる表示手段、前記現在地の変化を検出して前記位置情報の現在地を更新する更新手段として情報端末装置２の制御部２１を機能させるプログラムである。
【００５５】
上記構成によれば、情報端末装置の移動に変化する現在地を検出し、新たな現在地の位置情報に基づいて画面上に表示される方位情報の更新が可能となるため、画面上に表示されている方位情報が示す距離や方位と現在地における実際の距離や方位とを一致させることができる。
【００５６】
また、本実施の形態のシステムは、情報端末装置２と、前記情報端末装置からの要求に応じて前記情報端末装置に地図情報を提供するＷｅｂサーバ１とを備えるシステムであって、Ｗｅｂサーバ１は、前記情報端末装置から提供される前記現在地及び前記目的地に基づいて前記現在地及び前記目的地を含む地図情報と前記目的地の位置情報とを前記情報端末装置に送信する制御システム１１、通信制御部１２を備えるシステムである。
【００５７】
上記構成によれば、Ｗｅｂサーバは情報端末装置に対して現在地と目的地を含む地図情報を送信するため、情報端末装置が方位情報を更新して表示手段に再表示する場合でも新たな地図情報の送信が不要となり、Ｗｅｂサーバにおいては送信の負荷を低減することができ、情報端末装置においては再表示の時間を短縮することができる。
【図面の簡単な説明】
【図１】本発明の実施の形態の地図情報提供システムの構成を示すブロック図。
【図２】Ｗｅｂサーバの内部構成を示すブロック図。
【図３】本発明の一実施の形態の情報端末装置の内部構成を示すブロック図。
【図４】情報端末装置がＷｅｂサーバから地図データと位置情報を取得する際の動作手順を示すフローチャート。
【図５】目的地情報の入力時における画面表示例を示す模式図。
【図６】現在地及び目的地の位置情報に基づいてダウンロードされた地図データの範囲を示す模式図。
【図７】地図データ取得後、情報端末装置の使用者が目的地へ移動する際の情報端末装置の動作手順を示すフローチャート。
【図８】情報端末装置の制御部が保持するデータテーブルを概念的に示す図。
【図９】地図と方位情報を示す矢印の画面表示例を示す模式図。
【図１０】地図と方位情報を示す矢印が、移動により更新される時の画面表示例を示す模式図。
【図１１】目的地までの距離による矢印の表示バリエーションを示す模式図。
【図１２】本発明の他の実施の形態の情報端末装置の内部構成を示すブロック図。
【図１３】情報端末装置がＷｅｂサーバから地図データと位置情報を取得する際の動作手順を示すフローチャート。
【図１４】地図データ取得後、情報端末装置の使用者が目的地へ移動する際の情報端末装置の動作手順を示すフローチャート。
【図１５】情報端末装置の制御部が保持しているデータテーブルを概念的に示す図。
【符号の説明】
１  Ｗｅｂサーバ
２  情報端末装置
１１  制御システム
１２  通信制御部
１３  制御プログラム
１４  地図ＤＢ
１５  ルートＤＢ
２１  制御部
２２  通信部
２３  表示部
２４  入力部
２５  ＧＰＳ測位部
２６  ローカル地図データ保持部
【図１】
2004309678.tif 000003
【図２】
2004309678.tif 000004
【図３】
2004309678.tif 000005
【図４】
2004309678.tif 000006
【図５】
2004309678.tif 000007
【図６】
2004309678.tif 000008
【図７】
2004309678.tif 000009
【図８】
2004309678.tif 000010
【図９】
2004309678.tif 000011
【図１０】
2004309678.tif 000012
【図１１】
2004309678.tif 000013
【図１２】
2004309678.tif 000014
【図１３】
2004309678.tif 000015
【図１４】
2004309678.tif 000016
【図１５】
2004309678.tif 000017